(57)【要約】【課題】電源側のプラグを回転させることによりプラグの接続相を変更することができるプラグインブレーカにおいて、プラグインされた状態でプラグの接続相を具体的に識別可能とする技術を提供すること。【解決手段】電源側の上下２カ所に配置されたプラグ端子金具２，３を回転させることにより、上下３段に積層された母線バーとの接続相を変更することができるプラグインブレーカの接続相表示機構であって、前記プラグ端子金具２，３が、前記上下３段に積層された母線バーのうち、何れか２段の母線バーと接続する位置に配置された際、各々の位置で、プラグ端子金具の存在を検出する位置検出手段６，７と、前記位置検出手段による検出結果を電気的信号として受け取り、その信号の組み合わせパターンにより、プラグインブレーカの接続相を判定する判定部９と、該判定部の判定結果を、電気的に表示する表示手段１０を備える。【選択図】図６
2015154696.tif 000002
【特許請求の範囲】
【請求項１】
プラグ端子金具の位置を変更することにより、３段に積層された母線バーとの接続相を変更することができるプラグインブレーカの接続相表示機構であって、
前記プラグ端子金具が、前記３段に積層された母線バーのうち、
何れか２段の母線バーと接続する位置に配置された際、各々の位置で、プラグ端子金具の存在を検出する位置検出手段と、
前記位置検出手段による検出結果を電気的信号として受け取り、
その信号の組み合わせパターンにより、プラグインブレーカの接続相を判定する判定部と、
該判定部の判定結果を、電気的に表示する表示手段
を備えることを特徴とするプラグインブレーカの接続相表示機構。
【請求項２】
前記表示手段を、
前記プラグインブレーカの筐体外部に設けた
ことを特徴とする請求項１記載のプラグインブレーカの接続相表示機構。
【請求項３】
プラグインブレーカの接続相表示機構は、
該プラグインブレーカに流れる電流を検出する電流検出手段と、
前記表示手段の表示対象を、該電流検出手段の検出結果に切替え可能とする切替えスイッチを備え、
前記表示手段に、
前記判定部の判定結果もしくは前記電流検出手段の検出結果の何れかを表示する
ことを特徴とする請求項１または２記載のプラグインブレーカの接続相表示機構。
【請求項４】
プラグインブレーカの接続相表示機構は、
該プラグインブレーカに流れる電流を検出する電流検出手段を備え、
前記表示手段に、前記判定部の判定結果および該電流検出手段の検出結果を表示する
ことを特徴とする請求項１または２記載のプラグインブレーカの接続相表示機構。
【請求項５】
前記判定部は、
前記プラグインブレーカが収容された分電盤内において、母線バーごとの電流を参照し、
分電盤内で、電流の不平衡率が所定値以上となっている場合、
相切替の要否を判定する機能も備え、
前記表示手段には、該相切替の要否判定結果も表示させる
ことを特徴とする請求項４記載のプラグインブレーカの接続相表示機構。
【請求項６】
前記判定部は、
該判定部を備えたプラグインブレーカの遮断要因を判定する機能も備え、
前記表示手段には、該プラグインブレーカの遮断要因も表示させることを特徴とする
請求項４記載のプラグインブレーカの接続相表示機構。
【発明の詳細な説明】
【技術分野】
【０００１】
本発明は、プラグインブレーカの接続相表示機構に関するものである。
【背景技術】
【０００２】
電源側のプラグを回転させることによりプラグの接続相を変更することができるプラグインブレーカにおいて、プラグインされた状態でプラグの接続相を把握する技術として、一方のプラグを保持するプラグ固定部材と係合して揺動される電圧表示部材をケース上面付近に設ける技術（特許文献１）が開示されている。
【０００３】
しかし、特許文献１の技術は、単相３線式のブレーカにおいて、２つのプラグの内、上方のプラグ位置を検出して１００Ｖと２００Ｖの識別のみを行うものであり、プラグの接続相を具体的に（３相３線式のブレーカでは「Ｒ相−Ｓ相」、「Ｓ相−Ｔ相」、「Ｒ相−Ｔ相」の各組み合わせの何れか、単相３線式のブレーカでは、「Ｌ１相−Ｎ相」、「Ｌ２相−Ｎ相」、「Ｌ１相−Ｌ２相」の各組み合わせの何れか）識別することができず、不都合である。また、分電盤全体としての電圧不平衡を把握することができない。
【先行技術文献】
【特許文献】
【０００４】
【特許文献１】特許第４１１８１００号公報
【発明の概要】
【発明が解決しようとする課題】
【０００５】
本発明の目的は前記問題を解決し、電源側のプラグの位置を変更することによりプラグの接続相を変更することができるプラグインブレーカにおいて、プラグインされた状態でプラグの接続相を具体的に識別可能とする技術を提供することである。
【課題を解決するための手段】
【０００６】
上記課題を解決するためになされた本発明のプラグインブレーカの接続相表示機構は、プラグ端子金具の位置を変更することにより、３段に積層された母線バーとの接続相を変更することができるプラグインブレーカの接続相表示機構であって、前記プラグ端子金具が、前記３段に積層された母線バーのうち、何れか２段の母線バーと接続する位置に配置された際、各々の位置で、プラグ端子金具の存在を検出する位置検出手段と、前記位置検出手段による検出結果を電気的信号として受け取り、その信号の組み合わせパターンにより、プラグインブレーカの接続相を判定する判定部と、該判定部の判定結果を、電気的に表示する表示手段を備えることを特徴とするものである。
【０００７】
請求項２記載の発明は、請求項１記載のプラグインブレーカの接続相表示機構において、前記表示手段を、前記プラグインブレーカの筐体外部に設けたことを特徴とするものである。
【０００８】
請求項３記載の発明は、請求項１または２記載のプラグインブレーカの接続相表示機構において、プラグインブレーカの接続相表示機構は、該プラグインブレーカに流れる電流を検出する電流検出手段と、前記表示手段の表示対象を、該電流検出手段の検出結果に切替え可能とする切替えスイッチを備え、前記表示手段に、前記判定部の判定結果もしくは前記電流検出手段の検出結果の何れかを表示することを特徴とするものである。
【０００９】
請求項４記載の発明は、請求項１または２記載のプラグインブレーカの接続相表示機構において、プラグインブレーカの接続相表示機構は、該プラグインブレーカに流れる電流を検出する電流検出手段を備え、前記表示手段に、前記判定部の判定結果および該電流検出手段の検出結果を表示することを特徴とするものである。
【００１０】
請求項５記載の発明は、請求項４記載のプラグインブレーカの接続相表示機構において、前記判定部は、前記プラグインブレーカが収容された分電盤内において、母線バーごとの電流を参照し、  分電盤内で、電流の不平衡率が所定値以上となっている場合、相切替の要否を判定する機能も備え、前記表示手段には、該相切替の要否判定結果も表示させることを特徴とするものである。
【００１１】
請求項６記載の発明は、請求項４記載のプラグインブレーカの接続相表示機構において、前記判定部は、該判定部を備えたプラグインブレーカの遮断要因を判定する機能も備え、前記表示手段には、該プラグインブレーカの遮断要因も表示させることを特徴とするものである。
【発明の効果】
【００１２】
本発明のように、プラグ端子金具の位置を変更することにより、３段に積層された母線バーとの接続相を変更することができるプラグインブレーカの接続相表示機構において、前記プラグ端子金具が、前記３段に積層された母線バーのうち、何れか２段の母線バーと接続する位置に配置された際、各々の位置で、プラグ端子金具の存在を検出する位置検出手段と、前記位置検出手段による検出結果を電気的信号として受け取り、その信号の組み合わせパターンにより、プラグインブレーカの接続相を判定する判定部と、該判定部の判定結果を、電気的に表示する表示手段を備えるものとすることにより、
母線バーに接続された状態で、電圧だけでなくプラグインブレーカの接続相を具体的に識別可能とすることができる。
【図面の簡単な説明】
【００１３】
【図１】プラグインブレーカの全体斜視図である。
【図２】プラグインブレーカのカバーを一部取り外した状態における全体斜視図である。
【図３】本実施形態のプラグインブレーカの要部断面図である。
【図４】本実施形態のプラグインブレーカの要部正面図である。
【図５】他の実施形態におけるプラグインブレーカの要部断面図である。
【図６】他の実施形態におけるプラグインブレーカを分電盤内に配置した状態の側面図である。
【図７】他の実施形態におけるプラグインブレーカを分電盤内に配置した状態の上面図である。
【図８】他の実施形態におけるプラグインブレーカを分電盤内に配置した状態の上面図である。
【図９】プラグインブレーカの取り付け構造の説明図である。
【発明を実施するための形態】
【００１４】
以下に本発明の好ましい実施形態を示す。
【００１５】
図１、図２に示すように、本発明の接続相表示機構を組み込んだプラグインブレーカの筺体１の内部には、プラグ端子金具２，３が上下２段に設けられている。
これらのプラグ端子金具２，３を回転させることにより、上下３段に積層された母線バーとの接続相を、３相３線式の分電盤では「Ｒ相−Ｓ相」、「Ｓ相−Ｔ相」、「Ｒ相−Ｔ相」の各組み合わせの何れか、単相３線式の分電盤では、「Ｌ１相−Ｎ相」、「Ｌ２相−Ｎ相」、「Ｌ１相−Ｌ２相」の各組み合わせの何れかに変更することができる。
【００１６】
図２に示すように、プラグ端子金具２，３は、金属片を図示の通りの略Ｕ字形状に折り曲げ、母線バーに接続できる形状となっている。
また各プラグ端子金具２，３は、プラスチックからなる絶縁性のプラグ固定部材４の片面（上下何れかの面）に固定されている。
このプラグ固定部材４は断面Ｕ字状のもので、両側に備えた軸部を筺体１に形成した軸受部に支持させることによって回転できるようになっており、この回転操作を行うための操作部５が形成されている。
【００１７】
プラグ端子金具２，３の回転操作は、筺体１の前面カバーを開放し、プラグ端子金具２，３とプラグ固定部材４を露出させた後、プラグ固定部材４の操作部５に工具を挿入して行われる。
なお、プラグ端子金具２，３の上下移動は、回転によらず、摺動によるものとすることもできる。
【００１８】
図３、図４に示すように、プラグインブレーカの筺体１の内部には、前記上下３段に積層された母線バーのうち、上下２段の母線バーと接続する位置に配置された際、各々の位置で、プラグ端子金具の存在を検出する位置検出手段としてマイクロスイッチ６，７が配置されている。
マイクロスイッチ６は、上側のプラグ端子金具２が、前記上下３段に積層された母線バーのうち、上段の母線バーと接続する位置に配置された際に、プラグ端子金具２の背面で押圧されて、プラグ端子金具２が前記上下３段に積層された母線バーのうち、上段の母線バーと接続する位置にあることを検出する。
マイクロスイッチ７は、下側のプラグ端子金具３が、前記上下３段に積層された母線バーのうち、下段の母線バーと接続する位置に配置された際に、プラグ端子金具２の背面で押圧されて、プラグ端子金具３が前記上下３段に積層された母線バーのうち、下段の母線バーと接続する位置にあることを検出する。
【００１９】
マイクロスイッチ６，７の押圧情報は、電気的信号として、リード線８を介して、判定部９に送信される。本実施形態では、図３に示すように、判定部９及び表示部１０を、プラグインブレーカの筺体１の内部に設けているが、図５に示すように、判定部９及び表示部１０を、プラグインブレーカの筺体１の外部に設けることもできる。
【００２０】
判定部９は、マイクロスイッチ６，７の押圧情報は、電気的信号として受け取り、その信号の組み合わせパターンにより、プラグインブレーカの接続相を判定する。
例えば、前記上下３段に積層された母線バーが、上から順に、Ｎ相、Ｌ１相、Ｌ２相の場合、下記のようにして、「Ｌ１相−Ｎ相による１００Ｖ」、「Ｌ２相−Ｎ相による１００Ｖ」、「Ｌ１相−Ｌ２相による２００Ｖ」が判定される。
（ケース１）：「マイクロスイッチ６がＯＮ、マイクロスイッチ７もＯＮ」の場合、「プラグ端子金具２は上段の母線バー（Ｎ相）と接続する位置に配置され、プラグ端子金具３は下段の母線バー（Ｌ２相）と接続する位置に配置されている」ため、「Ｌ２相−Ｎ相」による１００Ｖであると判定される。
（ケース２）：「マイクロスイッチ６がＯＮ、マイクロスイッチ７はＯＦＦ」の場合、「プラグ端子金具２は上段の母線バー（Ｎ相）と接続する位置に配置され、プラグ端子金具３は下段の母線バー（Ｌ２相）と接続する位置に配置されていない（＝中段の母線バー（Ｌ１相）と接続する位置に配置されている）」ため、「Ｌ１相−Ｎ相」による１００Ｖであると判定される。  
（ケース３）：「マイクロスイッチ６がＯＦＦ、マイクロスイッチ７はＯＮ」の場合、「プラグ端子金具２は上段の母線バー（Ｎ相）と接続する位置に配置されていない（＝中段の母線バー（Ｌ１相）と接続する位置に配置されている）、プラグ端子金具３は下段の母線バー（Ｌ２相）と接続する位置に配置されている」ため、「Ｌ１相−Ｌ２相」による２００Ｖであると判定される。  
【００２１】
判定部９による判定結果は、電気的信号として、表示手段１０に送信される。本実施形態では、判定部９は、判定結果を、発色命令として表示手段１０として使用するＬＥＤに送信し、ＬＥＤの発色により、接続相を識別可能としている。
【００２２】
本実施形態では、図３に示すように、表示手段１０を、プラグインブレーカの筺体１の上部に設けているが、図６、図７に示すように、表示手段１０を、プラグインブレーカの筺体１の外部に設けることもできる。また、遠隔地に設置され通信線で接続された監視モニタ（ＰＣ等）を、表示手段１０として用いることもできる。
【００２３】
その他、図５、図８に示すように、表示手段１０として使用するＬＥＤを、ブレーカ外部の表示基板１１に設けることもできる。
【００２４】
図５に示す実施形態では、図５、図８に示すように、ブレーカ外部の表示基板１１に、ＬＥＤと、各ＬＥＤに対応した判定部９を設けている。表示基板１１は母線バーの保護部レートを兼用したものであってもよい。
ＬＥＤは、分電盤のパネル面に露出するように配置されている。判定部９及びＬＥＤの電源は母線バーより供給される。
また、図９に示すように、ブレーカの取付基板１２にはリード線接続装置１３が設けられ、リード線接続装置１３は物理的にブレーカを固定するブレーカ取付具１４の上下動と連動して取付基板１２上に接続と切り離しがなされている。
【００２５】
（他の実施形態１）
図５に示すように、プラグインブレーカの筺体１の内部に、プラグインブレーカに流れる電流を検出する電流検出手段１５（ＣＴ）を設けることもできる。接続相表示機構は切替えスイッチ１７を備えており、プラグインブレーカの接続相の表示を切り替えて、ＣＴの測定値を、例えば、下記の４段階で色分けして、表示手段１０に表示させることができる。
＜定格100％＞・・・赤
＜定格80％＞・・・・オレンジ
＜定格70％＞・・・・緑
＜定格60％以下＞・・青
これにより、必要に応じてブレーカごとの使用電流を表示手段１０にて把握することが可能である。
【００２６】
（他の実施形態２）
表示手段１０を、通信線で接続された監視モニタとして接続相および使用電流、双方の表示を同時に表示させることにより、負荷電流の偏りを遠隔地からも確認することが可能となる。接続相と使用電流とを同時に監視することにより１００Ｖ負荷の不平衡が検出された場合、相切替を推奨する回路の特定が可能となる。
例えば相電流差が３０％以上となった場合には、不平衡と判定し、各相の所定時間の使用電流が高い分岐ブレーカあるいは各相の所定時間の使用電流が低い分岐ブレーカを特定し、特定された分岐ブレーカをＰＣ画面上に表示することができる。この場合には母線ごとに電流を計測する電流検出手段１６（ＣＴ）を設けておくものとする。
なお、表示手段１０をブレーカの近傍に設置したＬＥＤとした場合には、特定された分岐ブレーカのＬＥＤを点滅表示させることもできる。
【００２７】
（他の実施形態３）
プラグインブレーカの筺体１の内部に漏電検出装置を備え、判定部９にはプラグインブレーカの遮断要因を判定する機能を持たせ、その判定結果を例えば、下記の３段階で色分けして、表示手段１０に表示させることができる。
＜過電流によるトリップ＞・・青点滅
＜漏電によるトリップ＞・・・赤点滅
＜それ以外＞・・・・・・・・緑点滅
【符号の説明】
【００２８】
１  筺体
２，３  プラグ端子金具
４  プラグ固定部材
５  操作部
６，７  マイクロスイッチ
８  リード線
９  判定部
１０  表示手段（ＬＥＤ）
１１  表示基板
１２  取付基板
１３  リード線接続装置
１４  ブレーカ取付具
１５  電流検出手段
１６  電流検出手段
１７  切替えスイッチ
【図１】
2015154696.tif 000003
【図２】
2015154696.tif 000004
【図３】
2015154696.tif 000005
【図４】
2015154696.tif 000006
【図５】
2015154696.tif 000007
【図６】
2015154696.tif 000008
【図７】
2015154696.tif 000009
【図８】
2015154696.tif 000010
【図９】
2015154696.tif 000011